(57)【要約】【課題】便座本体部の底面とそれに対応する便器の上面の清掃をし易くする技術として、洋式便器上に便座本体を前後スライドさせるもの、便座支持部材をモータ駆動式浮上ユニットで上昇させるもの、便座と便蓋を取り付けた便器装着物を電動装置によって前側を持ち上げるものがあるが、重量の便座本体を取り外す必要性や、電動装置やモータ駆動式浮上ユニットが必要となる。本発明は、構成が簡単で低コスト化でき、しかも狭いトイレ室内でも清掃のために、洋式便器の上面と便座本体部の下面間に空間を大きく取り、洋式便器の上面と便座本体部の下面の清掃がし易くするものである。【解決手段】洗浄ノズルと便座を備えた便座本体部を洋式便器上に設置する取り付け装置を備え、前記取り付け装置は、洋式便器の後部上面に固定した固定部材と、便座本体部の左右の一方側を回動支持部にて洋式便器上で横方向に持ち上げ可能に支持し、回動支持部を軸として便座本体部の左右の他方側を持ち上げた状態にストッパ部材によって保持する構成。【選択図】図５
2009256980.tif 000002
【特許請求の範囲】
【請求項１】
洗浄ノズルと便座を備えた便座本体部を洋式便器上に設置する取り付け装置を備え、前
記取り付け装置は、洋式便器の後部上面に固定した固定部材と、前記便座本体部の左右の
一方側を洋式便器上で横方向に持ち上げ可能となるように前記便座本体部の左右の他方側
を前記固定部材の一端側に対して回動可能に支持する回動支持部と、前記便座本体部を洋
式便器上に倒した正規位置に保持するロック装置を備え、前記ロック装置を外した状態で
前記回動支持部を軸として前記便座本体部を持ち上げ可能とした洗浄便座装置。
【発明の詳細な説明】
【技術分野】
【０００１】
本発明は、洗浄ノズルと便座を備えた便座本体部を洋式便器上に設置した洗浄便座装置
に関し、特に洋式便器の上面及び便座本体部の底面の清掃をし易くする技術に関する。
【背景技術】
【０００２】
従来、洗浄ノズルと回動可能に便座を備えた便座本体を洋式便器上に設置した洗浄便座
装置において、便座は後方へ回動可能であるため、便座の下面とこれに対応する便器の上
面は清掃し易いが、便座本体の下面とそれに対応する便器の上面の清掃は、便座本体を移
動させない限り不可能である。このため、従来、便座本体の底面とそれに対応する便器の
上面の清掃をし易くする技術として、洋式便器上に取り付けた便座固定プレートに対して
便座本体を前後スライド式に取り付け、便座本体を前方へスライドさせて洋式便器の上面
の清掃、または便座本体を取り外して洋式便器の上面及び便座本体の下面の清掃をするも
の（特許文献１参照）や、便座を支持する便座支持部材を便器本体に設け、便座支持部材
をモータ駆動式浮上ユニットによって上昇させることによって、便座支持部材と便器本体
との間に生じたスペースを利用して清掃するもの（特許文献２参照）や、便座と便蓋を取
り付けた便器装着物を便器に対して後部軸を中心として前側を持ち上げるように支持し、
電動装置によって作動するアームが便器上面を押すことによって、便器装着物の前側を便
器に対して持ち上げるようにしたもの（特許文献３参照）がある。
【特許文献１】特開２０００−２７１４８６号公報
【特許文献２】特開２００４−８９５２３号公報
【特許文献３】特開２００１−２５２２２１号公報
【発明の開示】
【発明が解決しようとする課題】
【０００３】
特許文献１のものは、洋式便器の上面及び便座本体の下面の清掃は、重量のある便座本
体を取り外さなければならず、極めて面倒であると共に、狭いトイレ室内では取り外した
便座本体の置き場所に困るため、トイレ室外に持ち出すなどの作業も必要とある。また、
特許文献２のものは、複雑高価なモータ駆動式浮上ユニットが必要であると共に、便座支
持部材と便器本体との間に生じたスペースもあまり大きくなく、清掃し難いものである。
また特許文献３のものは、電動装置によって作動するアームが便器上面を押すため、便器
の形状に合わせてアームが移動する構成としなければならず各種の便器への共通性に乏し
く、電動装置式であるため高価である。しかも後方へ向けて持ち上げるときは、便器装着
物の頂部が後方の貯水タンクなどに衝突するため、大きく持ち上げることができず、清掃
空間を大きく取ることには不向きであり、清掃し難いものである。
【０００４】
本発明は、このような点に鑑みて、洗浄ノズルと便座を備えた便座本体部を洋式便器上
に設置した洗浄便座装置において、構成が簡単であり、低コスト化でき、しかも狭いトイ
レ室内でも清掃のための空間を大きく取ることによって、洋式便器の上面及び便座本体部
の下面（底面）の清掃がし易くなる技術を提供するものである。
【課題を解決するための手段】
【０００５】
本発明は、洗浄ノズルと便座を備えた便座本体部を洋式便器上に設置する取り付け装置
を備え、前記取り付け装置は、洋式便器の後部上面に固定した固定部材と、前記便座本体
部の左右の一方側を洋式便器上で横方向に持ち上げ可能となるように前記便座本体部の左
右の他方側を前記固定部材の一端側に対して回動可能に支持する回動支持部と、前記便座
本体部を洋式便器上に倒した正規位置に保持するロック装置を備え、前記ロック装置を外
した状態で前記回動支持部を軸として前記便座本体部を持ち上げ可能とした洗浄便座装置
である。
【発明の効果】
【０００６】
本発明では、通常使用時は、ロック装置によって便座本体部を洋式便器上に倒した正規
位置に安定的に保持することができ、清掃時には、ロック装置を外し便座本体部の他方側
を持ち上げ、便座本体部を十分斜めに開くことができ、洗浄便座装置の使用空間の確保の
ためにトイレ室内は洗浄便座装置の左右に比較的空間が存在するため、便座本体部を斜め
に大きく開くことができる。このため、便座本体部を４５度前後に開いても問題なく、十
分斜めに開いた状態で、洋式便器の上面及び便座本体部の下面（底面）の清掃ができるた
め、清掃がし易くなるものとなる。
【発明を実施するための最良の形態】
【０００７】
本発明の洗浄便座装置は、洗浄ノズルと便座を備えた便座本体部を洋式便器上に設置す
る取り付け装置を備え、前記取り付け装置は、洋式便器の後部上面に固定した固定部材と
、前記便座本体部の左右の一方側を洋式便器上で横方向に持ち上げ可能となるように前記
便座本体部の左右の一方側を前記固定部材の一端側に対して回動可能に支持する回動支持
部と、前記便座本体部を洋式便器上に倒した正規位置に保持するロック装置を備え、前記
ロック装置を外した状態で前記回動支持部を軸として前記便座本体部を持ち上げ可能とし
た構成であり、本発明の実施例を以下に記載する。
【実施例１】
【０００８】
本発明の実施形態について説明する。図１は制御ボックスを左側に備えた本発明に係る
洗浄便座装置の蓋が閉まった状態の左方斜視図、図２は図１の洗浄便座装置の蓋と機能部
分のカバーを取り外した状態の機能部分と制御ボックス内を示す上面斜視図、図３はリモ
ートコントロール方式の本発明に係る洗浄便座装置を洋式便器上にセットした状態の右方
斜視図、図４は本発明に係る洗浄便座装置を洋式便器上にセットした状態の右側面図、図
５は本発明に係る洗浄便座装置の便座本体部を持ち上げた保持状態を示す右方斜視図、図
６は本発明に係る洗浄便座装置の便座本体部を持ち上げた保持状態を示す右側面図、図７
は本発明に係る洗浄便座装置の便座本体部を持ち上げた保持状態を示す正面図、図８は本
発明に係る便座本体部のロック装置の構成を示す斜視図、図９は本発明に係る便座本体部
のロック装置の構成を示す断面図である。
【０００９】
図１及び図２において、１は本発明の洗浄便座装置を示しており、洗浄便座装置１は、
便座本体部５０には少なくとも洗浄ノズルと便座２と洗浄ノズルから洗浄水を噴出する機
構を備えた構成である。便座本体部５０は、洋式便器７０上に取り付け装置６０によって
設置している。実施例では、前記洗浄ノズルとして、便座２の後部下側へ延びるおしり（
肛門）洗浄用ノズル４Ａとビデ洗浄用ノズル４Ｂを備えている。便座２は、内部に収納配
置した絶縁被覆されたコードヒータ（図示せず）で加温される。
【００１０】
便座本体部５０は、便座２と、おしり（肛門）洗浄用ノズル４Ａ及びビデ洗浄用ノズル
４Ｂ等を含む機能部１０を備えているが、実施例では、更に、便座２の上面を覆う開閉蓋
３を備えている。機能部１０は、便座２及び開閉蓋３の後方に配置され、前記洗浄ノズル
から洗浄水を噴出するために、基材部８上には、便座２の後部下側へ延びるおしり（肛門
）洗浄用ノズル４Ａとビデ洗浄用ノズル４Ｂ、温水タンク５、及び電気部品を収納した電
装部６等が配設されている。
【００１１】
基材部８には、便座２の側方（図では左側）に配置した制御ボックス３０が連結されて
おり、制御ボックス３０は、おしり（肛門）洗浄用ノズル４Ａとビデ洗浄用ノズル４Ｂに
よる洗浄開始、洗浄停止等を行うスイッチＳＷを取り付けた絶縁性基板３１を内蔵し、前
記スイッチＳＷの手動操作部３２を上面に備えている。
【００１２】
便座２は、基材部８上に取り付けた電動機装置１２によって往復回転する回転軸１３と
従動軸２４に取り付けられて、便座２が上方に開閉回動可能である。また、蓋３は、基材
部８に支持部材を介して取り付けた電動機装置９によって往復回転する回転軸１１に取り
付けられて、蓋３が上方に開閉回動可能である。
【００１３】
洗浄水として温水タンク５へ供給される水道水は、パイプジョイント装置１４によって
水道水配管に接続された導水管に取り付けたごみ取り用のストレーナと逆止弁を通過した
後、電磁弁と減圧弁を順次通り温水タンク５内の底部へ供給され、シーズヒータにより温
水タンク５内で温水となる。温水タンク５の上壁には、温水タンク５内の異常温度を検知
して前記シーズヒータへの通電回路を遮断する温度検知部２１と、温水タンク５内の洗浄
水レベルを検知して前記電磁弁を開閉制御して、温水タンク５内の洗浄水レベルを所定レ
ベルに制御するフロートスイッチ２２と、温水タンク５内の圧力が外気圧よりも低くなっ
たとき温水タンク５内と外気を連通する負圧弁を備えた気圧調整部２３が設けられている
。
【００１４】
機能部１０を覆うようにカバー７が基材部８に着脱自在に取り付けられており、カバー
７の一部がパネル７Ａになっている。このカバー７に一体または別体に制御ボックス３０
の上面を覆うカバー３３が設けられている。絶縁性基板３１に取り付けたスイッチＳＷは
、実施例では、おしり（肛門）洗浄開始スイッチ３４、ビデ洗浄開始スイッチ３５、洗浄
停止スイッチ３６、洗浄水の水勢調節スイッチ３７、３８等であるが、その他に便座２と
蓋３の開閉制御用等のスイッチＸ、Ｙや電源通電表示用のＬＥＤ等を取り付けるものもあ
る。
【００１５】
通常では、使用者が便座に着座して着座検出スイッチが動作しておれば、おしり（肛門
）洗浄開始スイッチ３４をＯＮすることによって、温水タンク５を通して掛かる水圧によ
っておしり（肛門）洗浄用ノズル４Ａが進出し、温水タンク５内の温水の洗浄水がおしり
（肛門）洗浄用ノズル４Ａから噴出される。また、着座検出スイッチが動作した状態でビ
デ洗浄開始スイッチ３５をＯＮすることによって、温水タンク５を通して掛かる水圧によ
ってビデ洗浄用ノズル４Ｂが進出し、温水タンク５内の温水の洗浄水がビデ洗浄用ノズル
４Ｂから噴出される。
【００１６】
このような状態において、水勢調節スイッチ３７をＯＮするごとに水性が強くなり、ま
た、水勢調節スイッチ３８をＯＮするごとに水性が弱くなるように、洗浄用ノズル４Ａ、
４Ｂから噴出される水勢が調節可能である。洗浄停止スイッチ３６をＯＮすることにより
、前述のように進出したおしり（肛門）洗浄用ノズル４Ａまたはビデ洗浄用ノズル４Ｂが
後退して、洗浄水の噴出が停止する。基材部８には、これらの他に、コードヒータ（図示
せず）で加温される便座２を加温する前記コードヒータのＯＮ−ＯＦＦスイッチ、前記コ
ードヒータの発熱量の調節スイッチ、温水タンク５の加熱用シーズヒータのＯＮ−ＯＦＦ
スイッチ、表示用ＬＥＤ等が取り付けられるものもある。
【００１７】
上記のように、図１及び図２に示すものは、便座２の側方（図では左側）に制御ボック
ス３０が配置された形態であるが、図３に示すものは、この制御ボックス３０が便座２の
側方から分離して設けられたリモートコントロール方式の洗浄便座装置１である。このリ
モートコントロール方式の洗浄便座装置１も、図１及び図２に示すものと同様に、おしり
（肛門）洗浄用ノズル４Ａ及びビデ洗浄用ノズル４Ｂによる温水洗浄が行なわれるように
、上記同様の構成である。
【００１８】
本発明の洗浄便座装置１は、洗浄ノズル（実施例では４Ａ、４Ｂ）と便座２を備えた便
座本体部５０を洋式便器７０上に設置する取り付け装置６０を備え、洗浄便座装置１を一
方側を軸として他方側を上方に開閉可能とするものである。この取り付け装置６０は、図
１及び図２に示す洗浄便座装置１及び図３に示す洗浄便座装置１に共通である。
【００１９】
取り付け装置６０は、洋式便器７０の後部上面に固定する固定部材６１と、便座本体部
５０の左右の一方側を洋式便器７０上で横方向に持ち上げ可能となるように便座本体部５
０の左右の一方側を固定部材６１の一端側に対して回動可能に支持する回動支持部６２と
、便座本体部５０の左右の他方側を持ち上げた状態に保持する保持装置としてのストッパ
部材６３と、便座本体部５０を洋式便器７０上に略水平状態に倒した正規位置に保持する
ロック装置６４を備えている。ストッパ部材６３は固定部材６１の他端側に起立及び倒伏
可能に支持されている。ロック装置６４によるロックを外した状態で、図５乃至図７に示
すように、回動支持部６２を軸として便座本体部５０の左右の他方側を持ち上げた状態に
ストッパ部材６３によって保持する構成である。
【００２０】
取り付け装置６０の詳細は、以下の構成である。洋式便器７０の後部上面にネジにて合
成樹脂製の固定部材６１が取り付け固定されている。便座本体部５０の左右の一方側を洋
式便器７０上で横方向に持ち上げ可能となるようにするために、実施例では、便座本体部
５０の一部である基材部８の左側は、固定部材６１の左端側に対して回動可能にヒンジ式
の回動支持部６２によって支持されている。具体的には、固定部材６１の左端側部分は、
金属製棒材６１Ａによって構成された部分と基材部８が、ヒンジ式の回動支持部６２によ
って連結されている。固定部材６１の右端側には、起立及び倒伏可能に下端部６３Ｃが回
動式に支持されたストッパ部材６３を取り付けている。ストッパ部材６３は、前部辺６３
Ａと後部辺６３Ｂが上部で連続した棒状の部材で構成されており、下端部６３Ｃが固定部
材６１に回動可能に支持されている。
【００２１】
ロック装置６４は、便座本体部５０を洋式便器７０上に略水平状態に倒した正規位置に
保持するために、図８及び図９に示すように、固定部材６１の右端側に上方へ突出した固
定フック部６４Ａが設けられ、便座本体部５０の基材部８の右側部には、この固定フック
部６４Ａに係脱可能に係止するようにバネ６４Ｂで付勢された可動フック部６４Ｃが設け
られている。
【００２２】
可動フック部６４Ｃは、図８及び図９に示すように、便座本体部５０の右側方向から手
動にて押し込み操作可能なるように、操作部６４Ｃ１が基材部８の右側部の窪み８Ｋ内に
位置し、カバー７の右側面に露出状態に臨む配置である。便座本体部５０を洋式便器７０
上に略水平状態に倒した状態で、図８及び図９に示すように、可動フック部６４Ｃがバネ
６４Ｂの付勢力によって固定フック部６４Ａの鉤部に係止して、便座本体部５０を洋式便
器７０上に略水平状態に倒した正規位置に保持する。
【００２３】
この状態で、図８及び図９において、操作部６４Ｃ１をバネ６４Ｂの付勢力に抗して左
方へ押すことによって、可動フック部６４Ｃが固定フック部６４Ａとの係止から外れ、こ
の状態で便座本体部５０の右側を持ち上げることができる。便座本体部５０の右側を持ち
上げた状態において、図５乃至図７に示すように、ストッパ部材６３を起立させ、起立し
たストッパ部材６３の上端部を便座本体部５０の右側下面に窪み形成した係止部６６に係
止させることによって、便座本体部５０は、その右側が持ち上がった斜め状態に保持され
る。図示では、係止部６６は基材部８に形成している。この斜め保持状態は、略４５度前
後の角度に保たれれば、洋式便器７０の後部上面と便座本体部５０の下面（基材部８の底
面）が前面側に大きく開放されるため、洋式便器７０の後部上面と便座本体部５０の下面
（基材部８の底面）の清掃を容易に行える状態となる。
【００２４】
この清掃が終了した後、便座本体部５０の右側を若干持ち上げつつ起立したストッパ部
材６３の上端部を便座本体部５０の係止部６６から外して、ストッパ部材６３を固定部材
６１の上に倒伏させ、この状態で、便座本体部５０の右側を下げて便座本体部５０を洋式
便器７０上に倒す。この動作に伴って、可動フック部６４Ｃの先端が固定フック部６４Ａ
の上面の傾斜６４Ａ１に当接し、便座本体部５０の重量によってまたは便座本体部５０の
右側を下方へ押すことによって、バネ６４Ｂの付勢力に抗して可動フック部６４Ｃが左方
へ移動し、最終位置において図８及び図９に示すように、可動フック部６４Ｃがバネ６４
Ｂの付勢力によって固定フック部６４Ａの鉤部に係止する。これによって、便座本体部５
０が洋式便器７０上に略水平状態に倒した正規位置に保持され、洗浄便座装置１の通常使
用時の状態を安定に維持できものとなる。
【００２５】
本発明では、上記のように、通常使用時は、ロック装置６４によって便座本体部５０を
洋式便器７０上に倒した正規位置に安定的に保持することができ、清掃時には、ロック装
置６４によるロックを外して便座本体部５０の他方側を持ち上げ、便座本体部５０を十分
斜めに開いた状態で、ストッパ部材６３によってその開いた状態を保持する。洗浄便座装
置１の使用空間の確保のために、トイレ室内は通常、洗浄便座装置１の左右には比較的空
間が存在するため、便座本体部５０を４５度前後に斜めに大きく開いても何ら支障がない
。この十分斜めに開いた状態で、洋式便器７０の上面及び便座本体部５０の下面（基材部
８の底面）の清掃がし易くなるものとなる。
【００２６】
回動支持部６２を軸として便座本体部５０の左右の他方側を持ち上げた状態を保持する
保持装置として、上記ではストッパ部材６３によって保持する構成であるが、保持装置の
構成は、これに限定されない。
【産業上の利用可能性】
【００２７】
本発明は、上記実施例に示した構成に限定されず、種々の形態の洗浄便座装置に適用で
きるものであり、本発明の技術範囲において種々の形態を包含するものである。
【図面の簡単な説明】
【００２８】
【図１】制御ボックスを左側に備えた本発明に係る洗浄便座装置の蓋が閉まった状態の左方斜視図である。
【図２】図１の洗浄便座装置の蓋と機能部分のカバーを取り外した状態の機能部分と制御ボックス内を示す上面斜視図である。
【図３】リモートコントロール方式の本発明に係る洗浄便座装置を洋式便器上にセットした状態の右方斜視図である。
【図４】本発明に係る洗浄便座装置を洋式便器上にセットした状態の右側面図である。
【図５】本発明に係る洗浄便座装置の便座本体部を持ち上げた保持状態を示す右方斜視図である。
【図６】本発明に係る洗浄便座装置の便座本体部を持ち上げた保持状態を示す右側面図である。
【図７】本発明に係る洗浄便座装置の便座本体部を持ち上げた保持状態を示す正面図である。
【図８】本発明に係る便座本体部のロック装置の構成を示す斜視図である。
【図９】本発明に係る便座本体部のロック装置の構成を示す断面図である。
【符号の説明】
【００２９】
１・・・・・洗浄便座装置
２・・・・・便座
３・・・・・開閉蓋
４Ａ・・・・おしり洗浄用ノズル
４Ｂ・・・・ビデ洗浄用ノズル
５・・・・・温水タンク
７・・・・・カバー
８・・・・・基材部
９・・・・・電動機装置
１０・・・・機能部
１２・・・・電動機装置
３０・・・・制御ボックス
３１・・・・絶縁性基板
３３・・・・カバー
３４・・・・おしり（肛門）洗浄開始スイッチ
３５・・・・ビデ洗浄開始スイッチ
３６・・・・洗浄停止スイッチ
３７、３８・・・洗浄水の水勢調節スイッチ
５０・・・・便座本体部
６０・・・・取り付け装置
６１・・・・固定部材
６２・・・・回動支持部
６３・・・・ストッパ部材
６４・・・・ロック装置
６４Ａ・・・固定フック部
６４Ｂ・・・バネ
６４Ｃ・・・可動フック部
７０・・・・洋式便器
【図１】
2009256980.tif 000003
【図２】
2009256980.tif 000004
【図３】
2009256980.tif 000005
【図４】
2009256980.tif 000006
【図５】
2009256980.tif 000007
【図６】
2009256980.tif 000008
【図７】
2009256980.tif 000009
【図８】
2009256980.tif 000010
【図９】
2009256980.tif 000011